(57)【特許請求の範囲】
【請求項１】
縦方向およびそれに直交する横方向を有し、肌対向面およびその反対側に位置する非肌対向面と、前ウエスト域と、後ウエスト域と、前記前後ウエスト域間に位置するクロッチ域と、前記前後ウエスト域を画定する弾性ウエストパネルと、前記弾性ウエストパネルに取り付けられ、前記前後ウエスト域の一部および前記クロッチ域を画定し、かつ、吸液構造体を有するクロッチパネルとを含む使い捨て着用物品において、
前記弾性ウエストパネルは、前記肌対向面に位置する内面シートと、前記非肌対向面に位置する外面シートと、前記内外面シートの間において伸縮可能に位置するウエスト弾性体と、前記内外面シートの間に位置するとともに前記ウエスト弾性体と重なる防漏シートとを有し、
前記防漏シートは、その全面が前記内外面シートのいずれか一方に接合され、
前記内外面シートは、前記ウエスト弾性体の周面の少なくとも一部が互いに接着され、
前記クロッチパネルは、その内面に位置する第１および第２接合部を介して前記弾性ウエストパネルの外面に取り付けられることを特徴とする前記使い捨て着用物品。
【請求項２】
前記ウエスト弾性体は、ストリング状又はストランド状の複数本の弾性材料から形成され、前記縦方向へ離間して前記横方向へ伸縮可能に位置する請求項１記載の使い捨て着用物品。
【請求項３】
前記防漏シートは、前記内外面シートのいずれか一方に、間欠的に接合される請求項１または２記載の使い捨て着用物品。
【請求項４】
前記弾性ウエストパネルの外面には、前記クロッチパネルの前後端縁に重なるカバーシートが接合される請求項１〜３のいずれかに記載の使い捨て着用物品。
【請求項５】
前記内外面シートは、前記弾性ウエストパネルの前記上下端縁に沿って、互いに接合される溶着部を有する請求項１〜４のいずれかに記載の使い捨て着用物品。
【請求項６】
前記溶着部は、前記横方向へ断続的に並ぶ請求項５記載の使い捨て着用物品。
【請求項７】
前記防漏シートの少なくとも一部は、前記クロッチパネルの前記前後端縁の少なくともいずれか一方よりも前記縦方向外方へ位置する延出部を有する請求項１〜６のいずれかに記載の使い捨て着用物品。
【請求項８】
前記延出部には、図形や文字などの表示要素が形成され、前記表示要素は、前記弾性ウエストパネルの前記非肌対向面から視認可能にされる請求項７記載の使い捨て着用物品。
【請求項９】
前記弾性ウエストパネルは、前記ウエスト弾性体の前記縦方向における離間寸法が、他の領域のそれよりも大きくされた大離間部をさらに有し、前記大離間部は、前記クロッチパネルの前記前後端縁の前記縦方向外方へ位置する請求項１〜８のいずれかに記載の使い捨て着用物品。
【請求項１０】
前記大離間部は、前記防漏シートの前記表示要素に重なる請求項９記載の使い捨て着用物品。
【請求項１１】
前記大離間部は、前記カバーシートに重なる請求項９または１０記載の使い捨て着用物品。
【発明の詳細な説明】
【技術分野】
【０００１】
本発明は、使い捨て着用物品に関し、より詳しくは、クロッチパネルと弾性ウエストパネルとを有する使い捨ておむつ、使い捨てのトイレット・トレーニングパンツ、使い捨て失禁パンツ、使い捨ての生理用パンツ、使い捨て吸収パッド等の使い捨て着用物品に関する。
【背景技術】
【０００２】
従来、クロッチパネルと弾性ウエストパネルとを有する使い捨て着用物品は公知である。例えば、特許文献１には、前後ウエスト域を形成する弾性ウエストパネルと、クロッチ域を中心として前後ウエスト域に延びるクロッチパネルとを備える使い捨て着用物品が開示される。
【先行技術文献】
【特許文献】
【０００３】
【特許文献１】特開２００８−１７８６８２号公報
【発明の概要】
【発明が解決しようとする課題】
【０００４】
特許文献１に開示の着用物品によれば、ウエストパネルは２枚の繊維不織布を張り合わせて形成され、これら繊維不織布の間には弾性伸縮部材が取り付けられる。二枚の繊維不織布の間には、ホットメルト接着剤等が塗布されてこれら繊維不織布が互いに接合されるとともに、弾性伸縮部材も少なくともいずれか一方の繊維不織布に接合される。
【０００５】
しかし、繊維不織布の全体に接着剤が塗布された場合には、接着剤の塗布量が多くなるからこれら繊維不織布の剛性が高くなり、肌触りが悪くなる。また、剛性が高くなったおむつを着用したときには、着用者の肌に刺激を与え、かぶれ等の原因になりかねない。特に、クロッチパネルが接合された部分等、他の部材やシートが積層され、これらがそのほぼ全面において接着剤等によって互いに接合された場合には、部分的な剛性の増加による肌触りの悪化が顕著になる。
【０００６】
そこで、本発明の課題は、従来の着用物品の改良であって、ウエストパネルによる着用者の肌への刺激を抑制することができる使い捨て着用物品を提供することにある。
【課題を解決するための手段】
【０００７】
本発明は、縦方向およびそれに直交する横方向を有し、肌対向面およびその反対側に位置する非肌対向面と、前ウエスト域と、後ウエスト域と、前記前後ウエスト域間に位置するクロッチ域と、前記前後ウエスト域を画定する弾性ウエストパネルと、前記弾性ウエストパネルに取り付けられ、前記前後ウエスト域の一部および前記クロッチ域を画定し、かつ、吸液構造体を有するクロッチパネルとを含む使い捨て着用物品の改良にかかわる。
【０００８】
本発明は、前記着用物品において、前記弾性ウエストパネルは、前記肌対向面に位置する内面シートと、前記非肌対向面に位置する外面シートと、前記内外面シートの間において伸縮可能に位置するウエスト弾性体と、前記内外面シートの間に位置するとともに前記ウエスト弾性体と重なる防漏シートとを有し、前記防漏シートは、その全面が前記内外面シートのいずれか一方に接合され、前記内外面シートは、前記ウエスト弾性体の周面の少なくとも一部が互いに接着され、前記クロッチパネルは、その内面に位置する第１および第２接合部を介して前記弾性ウエストパネルの外面に取り付けられることを特徴とする。
【発明の効果】
【０００９】
本発明に係る一つ以上の実施態様における使い捨て着用物品によれば、弾性ウエストパネルは、内外面シートと、これらシートの間に位置するウエスト弾性体とを含み、内外面シートは、ウエスト弾性体の周面の少なくとも一部に位置する接着剤によって互いに接合される。したがって、ウエスト弾性体を取り付けても内外面シートの剛性が顕著に高くなることがなく、着用者に対する肌触りが悪化するのを防止することができる。
【図面の簡単な説明】
【００１０】
【図１】本発明の実施形態における使い捨て着用物品の一例として示す、使い捨ておむつの斜視図。
【図２】おむつのサイドシーム部を剥離して前後方向に伸展した状態をその内面から見た一部破断展開平面図。
【図３】おむつの分解斜視図。
【図４】図１のＩＶ−ＩＶ線に沿う模式的断面図。
【図５】図４のＶで囲った部分の拡大図。
【発明を実施するための形態】
【００１１】
図１〜４を参照すれば、本発明の使い捨て着用物品の一例として示す使い捨ておむつ１０は、縦方向Ｙおよびそれに直交する横方向Ｘと、横方向Ｘの幅寸法を二等分する仮想縦中心線２−２と、縦方向Ｙの幅寸法を二等分する仮想横中心線３−３とを有する。おむつ１０は、仮想縦中心線２−２に関して対称に形成されている。
【００１２】
おむつ１０は、肌対向面およびそれに対向する非肌対向面と、環状の弾性ウエストパネルを構成する前後ウエストパネル２０,３０と、前後ウエストパネル２０，３０の非肌対向面に取り付けられたクロッチパネル４０と、前ウエスト域１１と、後ウエスト域１２と、前後ウエスト域１１，１２間を縦方向Ｙへ延びるクロッチ域１３とを含む。前ウエストパネル２０によって前ウエスト域１１が画定され、後ウエストパネル３０によって後ウエスト域１２が画定される。また、クロッチパネル４０の一部でクロッチ域１３が画定される。
【００１３】
前ウエストパネル２０は、横方向Ｘへ延びる上下端縁２０Ａ，２０Ｂおよび縦方向Ｙへ延びる両側縁２０Ｃを有し、同様に、後ウエストパネル３０は、横方向Ｘへ延びる上下端縁３０Ａ，３０Ｂおよび縦方向Ｙへ延びる両側縁３０Ｃを有する。前後ウエストパネル２０，３０は、ほぼ同形同大であって、それぞれ横長の矩形状にされている。クロッチパネル４０は、縦長の略矩形状であって、横方向Ｘへ延びる前端縁４０Ａと、前端縁４０Ａに対向する後端縁４０Ｂとを有し、前端縁４０Ａが第１接合部７１を介して前ウエストパネル２０の非肌対向面（外面）に取り付けられ、後端縁４０Ｂが第２接合部７２を介して後ウエストパネル３０の非肌対向面に取り付けられる。前ウエストパネル２０の下端縁２０Ｂから後ウエストパネル３０の下端縁３０Ｂまでの間にクロッチ域１３が画定される。
【００１４】
前後ウエストパネル２０，３０の両側縁２０Ｃ，３０Ｃは、互いに重ね合わされて、縦方向Ｙへ延びる断続的な一連のサイドシーム部１４によって連結され、前後ウエストパネル２０，３０の上端縁２０Ａ，３０Ａによっておむつ１のウエスト開口１５が画定され、下端縁２０Ｂ，３０Ｂによっておむつ１のレッグ開口１６の一部が画定される。サイドシーム部１４は、公知の接合手段、例えば、熱エンボス加工、ソニック加工等の各種の熱溶着手段によって、縦方向Ｙへ断続的に溶着されることによって形成される。
【００１５】
前後ウエストパネル２０，３０は、肌対向面側に位置する第１および第２内面シート２１，３１と、非肌対向面側に位置する第１および第２外面シート２２，３２と、これらシート２１，２２および３１，３２の間に位置する第１および第２防漏シート２３，３３とを有する。第１内外面シート２１，２２および第２内外面シート３１，３２は、例えば、質量約１０〜３０ｇ／ｍ２の不透液性のＳＭＳ（スパンボンド・メルトブローン・スパンボンド）繊維不織布若しくはスパンボンド繊維不織布、または、プラスチックシートとそれらいずれかの繊維不織布とのラミネートシートとから形成される。第１および第２防漏シート２３，３３は、例えば、不透液性かつ通気性のプラスチックシートから形成される。
【００１６】
第１防漏シート２３は、前ウエストパネル２０の横方向Ｘの中央であって、かつ、下端縁２０Ｂに沿って取り付けられる。第２防漏シート３３は、後ウエストパネル３０の横方向Ｘの中央であって、かつ、下端縁３０Ｂに沿って取り付けられる。第１および第２防漏シート２３，３３は、ホットメルト接着剤等の公知の接合手段によって第１および第２外面シート２２，３２に接合される。接着剤は、第１および第２防漏シート２３，３３のほぼ全面に、間欠的に塗布される。
【００１７】
第１および第２防漏シート２３，３３は、横方向Ｘへ延びるとともに縦方向Ｙ外方に位置する上端縁２３Ａ，３３Ａと、上端縁２３Ａ，３３Ａに対向し、前後ウエストパネル２０，３０の下端縁２０Ｂ，３０Ｂと一致する下端縁２３Ｂ，３３Ｂと、縦方向Ｙへ延びる両側縁２３Ｃ，３３Ｃとによって画定される。両側縁２３Ｃ，３３Ｃは、クロッチパネル４０の両側縁４０Ｃよりもその横方向Ｘにおける寸法が小さくされている。第１防漏シート２３の上端縁２３Ａは、縦方向Ｙにおいてクロッチパネル４０の前端縁４０Ａよりも縦方向Ｙ内方に位置する。第２防漏シート３３は、上端縁３３Ａがクロッチパネル４０の後端縁４０Ｂから縦方向Ｙ外方へ延出され、延出部３６が形成される。これら第１および第２防漏シート２３，３３は、ホットメルト接着剤等の公知の接着剤６２によって第１内面シート２１および第２内面シート３１にそれぞれ接合される（図５参照）。
【００１８】
第１内外面シート２１，２２間および第２内外面シート３１，３２間には、横方向Ｘへ延びる複数条のストランド状又はストリング状の前後ウエスト弾性体２４，３４が配設される。前後ウエストパネル２０，３０は、前後ウエス弾性体２４，３４が配設されることによって少なくとも横方向Ｘへ伸縮可能に弾性化される。前ウエスト弾性体２４は、第１防漏シート２３が存在する領域においては、第１防漏シート２３と第１外面シート２２との間に配設される。同様に、後ウエスト弾性体３４も、第２防漏シート３３が存在する領域においては、第２防漏シート３３と第２外面シート３２との間に配設される。
【００１９】
図５を参照すれば、後ウエスト弾性体３４のほぼ全周面には、ホットメルト接着剤６１が塗布され、この接着剤６１を介して第２内外面シート３１，３２が互いに接着される。仮に、第２内外面シート３１，３２のほぼ全域に接着剤を塗布し、これらを互いに接着した場合には、接着剤の塗布量が多くなるから接着剤によって後ウエストパネル３０の剛性が高くなり、肌触りが悪くなって、着用者の肌に刺激を与える。しかし、接着剤を後ウエスト弾性体３４の周面にのみ塗布するので、接着剤の塗布量を少なくすることができ、第２内外面シート３１，３２の剛性の増加を抑えることができるから、これが大きな刺激となることがない。したがって、着用者の肌に対する刺激によるかぶれ等を予防することができる。また、第２防漏シート３３はそのほぼ全面に塗布された接着剤６２によって第２内面シート３１に接着されるから、これら接着剤６２が塗布された領域では、その剛性が高くなる傾向にあるが、第２内外面シート３１，３２の剛性が低く抑えられているから、後ウエストパネル３０全体における剛性が顕著に高くなるのを防止することができる。したがって、第２防漏シート３３が取り付けられたとしても、適度な肌触りを確保することができ、これが着用者の肌への刺激となることがない。
【００２０】
図５では、後ウエストパネル３０のみ示しているが、前ウエストパネル２０でも同様に、前ウエスト弾性体２４の周面に接着剤が塗布され、この接着剤を介して第１内外面シート２１，２２が互いに接合される。なお、接着剤６１は、前後ウエスト弾性体２４，３４の周面の少なくとも一部に塗布され、好ましくはより広い面積、より好ましくはほぼ全周面に塗布される。前後ウエスト弾性体２４，３４のほぼ全周面に接着剤を塗布する方法として、例えば、Ｖ字状の容器に接着剤を入れ、前後ウエスト弾性体２４，３４の全周面に接着剤が接触するように容器の中をこれら弾性体が移動するようにしたものがある。また、前後ウエスト弾性体２４，３４の周囲に間欠的に接着剤を塗布する方法として、例えば、これら弾性体２４，３４の周囲においてらせん状に接着剤を塗布する方法がある。
【００２１】
再び図２，３を参照すると、前後ウエストパネル２０，３０には、前後ウエスト弾性体２４，３４の縦方向Ｙにおける離間寸法が他の領域よりも大きくされた第１および第２大離間部２５，３５が形成される。第１および第２大離間部２５，３５は、クロッチパネル４０の前後端縁４０Ａ，４０Ｂよりもそれぞれ縦方向Ｙ外方に位置する。第１および第２大離間部２５，３５における縦方向Ｙにおける寸法は、約１０〜３５ｍｍ、好ましくは約２０〜３０ｍｍとされる。縦方向Ｙにおける寸法とは、第１および第２大離間部２５，３５を画定する一方の弾性体の中心から、他方の弾性体の中心までの寸法（ピッチ）をいう。第１および第２大離間部２５，３５以外の領域において、縦方向Ｙに互いに隣接する弾性体の縦方向Ｙにおける寸法は、約５〜１５ｍｍ、好ましくは約５〜１０ｍｍとされる。この実施形態において、太さ約５００〜１０００ｄｔｅｘの前後ウエスト弾性体２４，３４を用いることができ、約１．８〜３．０倍の伸長倍率で取り付けることができる。
【００２２】
前後ウエストパネル２０，３０に第１および第２大離間部２５，３５を形成したので、おむつ１０の着用時、または、着用中に、着用者またはその世話人らがこの第１および第２大離間部２５，３５に指を引っかけて、前ウエスト域１１または後ウエスト域１２を挟持して引き上げることができる。したがって、おむつ１０から指が滑らず、引き上げやすい。また、第１および第２大離間部２５，３５がクロッチパネル４０の縦方向Ｙ外方に位置し、すなわち、クロッチパネル４０には重ならないことによって、これら第１および第２大離間部２５，３５の柔軟性を維持することができるので、より一層指を引っ掛けやすくすることができる。
【００２３】
前ウエストパネル２０は、上端縁２０Ａおよび下端縁２０Ｂに沿って、複数の溶着部２７，２８を有し、同様に、後ウエストパネル３０も、上端縁３０Ａおよび下端縁３０Ｂに沿って複数の溶着部３７，３８を有する。溶着部２７，２８および３７，３８は、横方向Ｘへ断続的に位置し、第１内外面シート２１，２２および第２内外面シート３１，３２を部分的に溶着し、接合する。溶着部２７，２８および３７，３８は、公知の接合手段、例えば、熱エンボス加工、ソニック加工等の各種の熱溶着手段によって形成される。第１内外面シート２１，２２および第２内外面シート３１，３２は、第１および第２ウエスト弾性体２４，３４の周面にある接着剤６１によってのみ互いに接着しているから、特に上端縁２０Ａ，３０Ａ、下端縁２０Ｂ，３０Ｂにおいて、これら内外面シートが互いに剥離し、シートの間に着用者の指等が引っかかる可能性がある。しかし、溶着部２７，３７によって、溶着されているので、これら剥離を防止し、指等の引っかかりを未然に防止することができる。
【００２４】
前後ウエストパネル２０，３０の第１および第２外面シート２２，３２には、接合されたクロッチパネル４０の前後端縁４０Ａ，４０Ｂを覆うようにこれらに重なって、第１および第２カバーシート８１，８２が取り付けられる。第１および第２カバーシート８１，８２は、それぞれ横長の矩形状にされ、その両側縁はサイドシーム部１４によって、第１内外面シート２１，２２および第２内外面シート３１，３２とともに互いに接合される。第１および第２カバーシート８１，８２の縦方向Ｙにおける寸法は、第１内外面シート２１，２２および第２内外面シート３１，３２のそれよりも小さくされる。第１および第２カバーシート８１，８２は、例えば、質量約１０〜３０ｇ／ｍ２の不透液性のＳＭＳ（スパンボンド・メルトブローン・スパンボンド）繊維不織布またはスパンボンド繊維不織布によって形成することができる。
【００２５】
第１および第２カバーシート８１，８２は、ホットメルト接着剤等の公知の接着剤６３によって、第１および第２外面シート２２，２３に接着される（図５参照）。ホットメルト接着剤６３は、第１および第２カバーシート８１，８２のほぼ全域に間欠的に塗布される。第１および第２カバーシート８１，８２が重なる位置において、接着剤６３によってその剛性が高くなる傾向があったとしても、第１内外面シート２１，２２および第２内外面シート３１，３２は、前後ウエスト弾性体２４，３４の周面の接着剤６１によってのみ接合され、前後ウエストパネル２０，３０全体の剛性が過剰に高くなるのを抑制することができる。
【００２６】
第１および第２カバーシート８１，８２は、第１および第２大離間部２５，３５に重なって位置する。したがって、第１および第２大離間部２５，３５に位置する、第１内外面シート２１，２２および第２内外面シート３１，３２を補強することができ、第１および第２大離間部２５，３５に指を引っかけておむつ１０を引き上げた場合に、この第１および第２大離間部２５，３５が破れるのを予防することができる。また、後ウエストパネル３０の第２大離間部３５には、第２防漏シート３３の延出部３６が重なる。したがって、延出部３６が重なった領域では、より一層第２大離間部３５を補強することができ、引き上げ時の破れを予防することができる。
【００２７】
再び図２，４を参照すると、クロッチパネル４０は、ベースシート４３と、ベースシート４３の肌対向面（内面）に配置された吸液構造体４４と、吸液構造体４４を被覆する透液性シートから形成された身体側ライナ４５とを有する。
【００２８】
ベースシート４３は、少なくとも一方が不透液性の繊維不織布シート又はプラスチックフィルムから形成された内外面クロッチシート４６，４７によって形成される。また、内外面クロッチシート４６，４７は、両シート４６，４７のうちのいずれか一方のシートの内面に塗布されたホットメルト接着剤（図示せず）を介して互いに接合され、それらの両側部は、内方へ折り曲げられて、縦方向Ｙへ延びるガスケット機能を有する一対の弾性サイドフラップ４８が形成される。
【００２９】
弾性サイドフラップ４８には、縦方向Ｙへ延びる複数条のストランド状又はストリング状からなる第１レッグ弾性体５１と第２レッグ弾性体５２とが配設されており、少なくとも縦方向Ｙにおいて弾性化されている。具体的には、第２レッグ弾性体５２と弾性サイドフラップ４８の内側縁４９との間に第１レッグ弾性体５１が配設され、第１レッグ弾性体５１は内側縁４９に沿って縦方向Ｙへ直状に延びており、第２レッグ弾性体５２は、仮想横中心線３−３近傍において第１レッグ弾性体５１に向かって凸に湾曲して、着用者の大腿を囲む方向へ延びる。第１および第２レッグ弾性体５１，５２は、前記の内外面クロッチシート４６，４７のうちのいずれか一方の内面に塗布されたホットメルト接着剤（図示せず）を介して両シート４６，４７間に縦方向Ｙに伸長された状態で固定される。
【００３０】
おむつ１０の着用時において、第１レッグ弾性体５１の収縮力によって弾性サイドフラップ４８の内側縁４９近傍が、着用者の鼠蹊部近傍に密着し、レッグ開口１６からの排泄物の横漏れを防止することができる。また、第２レッグ弾性体５２が、仮想横中心線３−３近傍におけるその中央部で湾曲しているので、局所的にそれら弾性体が密集し、伸長応力が集中する。それにより、着用者の鼠蹊部近傍に対向する弾性サイドフラップ４８の中央部近傍が着用者の身体に密着し、レッグ開口１６からの排泄物の横漏れをより効果的に防止することができる。
【００３１】
身体側ライナ４５は、好ましくは親水化処理された、質量約１５〜３５ｇ／ｍ２の透液性を有する繊維不織布シートであって、例えば、スパンボンド繊維不織布、ポイントボンド繊維不織布およびエアスルー不織布等各種公知の繊維不織布から形成することができる。
【００３２】
吸液構造体４４は、不溶性かつ自己質量の１０倍以上の吸水力を有するいわゆる吸収性ポリマー粒子から形成された吸収性コアを、質量約８〜１５ｇ／ｍ２、好ましくは、質量約１０ｇ/ｍ２の透水性の繊維不織布から形成された被覆シートで覆って構成される。吸収性ポリマー粒子が体液を吸収した後にその形状が型崩れするのを防止するために、吸収性コアを複数の吸収域に区分することができる。なお、吸収性コアは、吸収性ポリマー粒子のほかに、フラッフパルプ等の公知の吸収性材料を含むものであってもよい。また、吸液構造体４４は、図示しない公知の接着手段を介してベースシート４３の内面に固定されている。吸液構造体４４は、その全域でベースシート４３に接合されるようにしてもよいし、その一部、特に前後端縁のみが接合されるようにしてもよい。
【００３３】
上記のようなおむつ１０には、前後ウエストパネル２０，３０の下端縁２０Ｂ，３０Ｂ近傍と、クロッチパネル４０とによって囲まれた排泄物収容スペース５４が形成される（図４参照）。クロッチパネル４０は、前後ウエストパネル２０，３０の外面に取り付けられるが、それらを前後ウエストパネル２０，３０の内面に取り付ける場合に比して、排泄物収容スペース５４を大きく形成することができる。なお、排泄物収容スペースが所要の大きさを有する限りにおいて、前後ウエスト域１１，１２のうちのいずれか一方のみが前後ウエストパネル２０，３０の外面に取り付けられていればよい。また、吸液構造体４４は比較的に薄いものであるから、おむつ１０は、この種の他の物品に比して大容量の排泄物収容スペース５４を有し、比較的に多量の排泄物を保持することができるとともに、着用者の臀部から離間した状態でクロッチパネル４０が吊持されて袋状を呈し、排泄物によって着用者の臀部が汚れるのを抑えることができる。
【００３４】
クロッチパネル４０を前後ウエストパネル２０，３０に接合する第１および第２接合部７１，７２は、クロッチ域１３に向かって開口した凹状を有し、それぞれ、弾性サイドフラップ４８の肌対向面にホットメルト接着剤を塗布して形成された両側部位７３，７４と、両側部位間において、横方向Ｘへ延びる中央部位７５，７６とを有する。中央部位７５，７６は、吸液構造体４４よりも縦方向Ｙ外方に位置しており、両側部位７３，７４と中央部位７５，７６との間には、ホットメルト接着剤が塗布されていない非接合部位７７，７８が画定される。なお、本実施形態において、第１接合部７１の両側部位７３は段差状、第２接合部７２の両側部位７４は矩形状を有しているが、それらの形状に制限されるものではなく、両側部位７３，７４は、段差状、矩形状、曲状などの各種の形状を有していてもよい。
【００３５】
第１および第２接合部７１，７２に非接合部位７７，７８が画定されることによって、前後ウエストパネル２０，３０とクロッチパネル４０との間において第１および第２ポケット（空間部）５５，５６が形成される。第１および第２ポケット５５，５６が形成されることによってクロッチパネル４０内に画定される排泄物収容スペース５４をより大きくすることができる。また、第１および第２ポケット５５，５６は、第１および第２接合部７１，７２によってクロッチパネル４０と前後ウエストパネル２０，３０とが水密に接合されることによって、これらポケット５５，５６から排泄物が漏れるのを予防することができる。
【００３６】
上記のようなおむつ１において、第２防漏シート３３の延出部３６に、図形や文字などの表示要素を設けることができる。例えば、おむつ１のサイズを示す「Ｍ」の文字や、商品名や、キャラクター図形などを付することができる。表示要素は、延出部３６の第２内面シート３１対向面、または、第２外面シート３２対向面のいずれに設けてもよいが、これら表示要素がおむつ１の非肌対向面から視認可能とする。この実施形態では、延出部３６の非身体側には、第２外面シート３２および第２カバーシート８２が積層されているから、表示要素は、少なくともこれらシートを透過して視認される。表示要素が視認可能であるか否かは、表示要素の色や、表示要素に積層されるシートの光線透過率などによって決定される。また、第２防漏シート３３は、接着剤６２によってそのほぼ全面が第２内面シート３１に接着されているから、第２内外面シート３１，３２間において浮き上がったり、よれたりすることがなく、非肌対向面から視認し易くすることができる。
【００３７】
延出部３６は、第２大離間部３５に重なって配置される。第２大離間部３５では、隣接する他の領域に比べて、弾性体の間隔が広いので、弾性体によって形成される皺も少なくなり、延出部３６に形成された表示要素を見えやすくすることができる。なお、延出部３６は、後ウエストパネル３０にのみ形成されることとしているが、前後ウエストパネル２０，３０の少なくともいずれか一方に形成することができる。
大離間部は、前後ウエストパネル２０，３０のいずれにも形成されているが、少なくともいずれか一方に形成されるようにすることができる。ただし、前後パネル２０，３０に大離間部が形成されることによって、いずれを挟持して引っ張りあげる場合でも、指を引っかけることができるから、より一層引っ張りやすくすることができる。
【００３８】
この実施形態において、第１カバーシート８１の縦方向Ｙにおける寸法は、第１および第２内外面シート２１，２２のそれよりも小さくされ、第１カバーシート８１は上端縁２０Ａよりも縦方向Ｙ内方に位置するが、第１カバーシート８１の縦方向Ｙにおける寸法を大きくすることもできる。また、第１カバーシート８１の縦方向Ｙにおける寸法を大きくして、前ウエストパネル２０の上端縁２０Ａにおいて外面から内面に折返すこともできる。このように折り返した場合には、第１および第２内外面シート２１，２２の上端縁を覆うことができるので、これらの間に指等が引っかかるのを防止することができる。したがって、別途溶着部２７を形成する必要がない。同様に、第２カバーシート８２を後ウエストパネル３０の上端縁３０Ａで折り返す構成とすることもできる。
【００３９】
おむつ１０を構成する各構成部材には、本明細書に記載されている材料のほかに、この種の物品において通常用いられている各種の公知の材料を制限なく用いることができる、また、本発明の明細書および特許請求の範囲において、「第１」および「第２」の用語は、同様の要素、位置などを単に区別するために用いられている。
【００４０】
以上に記載した本発明に関する開示は、少なくとも下記事項に要約することができる。
本発明は、以下の使い捨て着用物品１０の改良にかかわる。着用物品１０は、縦方向Ｙおよびそれに直交する横方向Ｘを有し、肌対向面およびその反対側に位置する非肌対向面と、前ウエスト域１１と、後ウエスト域１２と、前記前後ウエスト域１１，１２間に位置するクロッチ域１３と、前記前後ウエスト域１１，１２を画定する弾性ウエストパネル２０，３０と、前記弾性ウエストパネル２０，３０に取り付けられ、前記前後ウエスト域１１，１２の一部および前記クロッチ域１３を画定し、かつ、吸液構造体４４を有するクロッチパネル４０とを含む。
【００４１】
本発明は、上記使い捨て着用物品１において、以下の点を特徴とする。
前記弾性ウエストパネル２０，３０は、前記肌対向面に位置する内面シート２１，３１と、前記非肌対向面に位置する外面シート２２，３２と、前記内外面シート２１，２２，３１，３２の間において伸縮可能に位置するウエスト弾性体２４，３４と、前記内外面シート２１，２２，３１，３２の間に位置するとともに前記ウエスト弾性体２４，３４と重なる防漏シート２３，３３とを有する。
前記防漏シート２３，３３は、その全面が前記内外面シート２１，２２，３１，３２のいずれか一方に接合される。
前記内外面シート２１，２２，３１，３２は、前記ウエスト弾性体２４，３４の周面の少なくとも一部が互いに接着される。
前記クロッチパネル４０は、その内面に位置する第１および第２接合部７１，７２を介して前記弾性ウエストパネル２０，３０の外面に取り付けられる。
【００４２】
上記本発明は、少なくとも下記の実施の形態を含むことができる。
（１）前記ウエスト弾性体は２４，３４、ストリング状又はストランド状の複数本の弾性材料から形成され、前記縦方向Ｙへ離間して前記横方向Ｘへ伸縮可能に位置する。
（２）前記防漏シート２３，３３は、前記内外面シート２１，２２，３１，３２のいずれか一方に、間欠的に接合される。
（３）前記弾性ウエストパネル２０，３０の外面には、前記クロッチパネル４０の前後端縁４０Ａ，４０Ｂに重なるカバーシート８１，８２が接合される。
（４）前記内外面シート２１，２２，３１，３２は、前記弾性ウエストパネル２０，３０の前記上下端縁２０Ａ，２０Ｂ，３０Ａ，３０Ｂに沿って、互いに接合される溶着部２７，２８，３７，３８を有する。
（５）前記溶着部２７，２８，３７，３８は、前記横方向Ｘへ断続的に並ぶ。
（６）前記防漏シート２３，３３の少なくとも一部は、前記クロッチパネル４０の前記前後端縁４０Ａ，４０Ｂの少なくともいずれか一方よりも前記縦方向外方へ位置する延出部３６を有する。
（７）前記延出部３６には、図形や文字などの表示要素が形成され、前記表示要素は、前記弾性ウエストパネル２０，３０の前記非肌対向面から視認可能にされる。
（８）前記弾性ウエストパネル２０，３０は、前記ウエスト弾性体２４，３４の前記縦方向Ｙにおける離間寸法が、他の領域のそれよりも大きくされた大離間部２５，３５をさらに有し、前記大離間部２５，３５は、前記クロッチパネル４０の前記前後端縁４０Ａ，４０Ｂの前記縦方向Ｙ外方へ位置する。
（９）前記大離間部２５，３５は、前記防漏シート２３，３３の前記表示要素に重なる。
（１０）前記大離間部２５，３５は、前記カバーシート８１，８２に重なる。
【符号の説明】
【００４３】
１０    使い捨て着用物品（使い捨ておむつ）
１１    前ウエスト域
１２    後ウエスト域
１３    クロッチ域
２０    前ウエストパネル（弾性ウエストパネル）
２０Ａ  上端縁
２０Ｂ  下端縁
２１    第１内面シート（内面シート）
２２    第１外面シート（外面シート）
２３    第１防漏シート（防漏シート）
２４    前ウエスト弾性体（ウエスト弾性体）
２５    第１大離間部（大離間部）
２７    溶着部
２８    溶着部
３０    後ウエストパネル
３０Ａ  上端縁
３０Ｂ  下端縁
３１    第２内面シート（内面シート）
３２    第２外面シート（外面シート）
３３    第２防漏シート（防漏シート）
３４    後ウエスト弾性体（ウエスト弾性体）
３５    第２大離間部（大離間部）
３６    延出部
３７    溶着部
３８    溶着部
４０    クロッチパネル
４０Ａ  前端縁
４０Ｂ  後端縁
６１    接着剤
７１    第１接合部
７２    第２接合部
８１    第１カバーシート（カバーシート）
８２    第２カバーシート（カバーシート）
【図１】
0005911263.tif 000002
【図２】
0005911263.tif 000003
【図３】
0005911263.tif 000004
【図４】
0005911263.tif 000005
【図５】
0005911263.tif 000006